【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
使い捨ておむつ（１）の後部ウエストバンド部（７ａ）および／または正面ウエストバンド部（７ｂ）に、ファスナ部（１０）を取付ける方法であって、該使い捨ておむつ（１）が、内面（２ａ）、外面（２ｂ）、第１側縁（２ｃ）および第２側縁（２ｄ）を有するトップシート（２）と、内面（３ａ）、外面（３ｂ）、第１側縁（３ｃ）および第２側縁（３ｄ）を有するバックシート（３）と、該トップシート（２）と該バックシート（３）との間に配置される吸収性コア（４）とを備えるとともに、該ファスナ部（１０）が、該ファスナ部（１０）を該使い捨ておむつ（１）に固定するための製造者端部（１１）と締結手段（１５）を備えた使用者端部（１２）とを備えるものであり、この方法は、第１選択肢（Ａ）では、
（ｉ）トップシート（２）を用意するステップと、
（ｉｉ）該トップシート（２）の内面（２ａ）に１つ以上のファスナ部（１０）を配置して、該使用者端部（１２）を該トップシート（２）によって本質的に支持するとともに、該製造者端部（１１）を該トップシート（２）の一方の該側縁（２ｃ、２ｄ）に本質的に隣接させ、それにより該締結手段（１５）を該トップシート（２）の該内面（２ａ）に向けるようにするステップと、
（ｉｉｉ）該製造者端部（１１）を、それが該使用者端部（１２）に本質的に対向するように折り曲げるステップと、
（ｉｖ）吸収性コア（４）およびバックシート（３）を該トップシート（２）に取付けるステップと、
を含み、かつステップ（ｉｉｉ）とステップ（ｉｖ）との順序を交替することができ、あるいは第２選択肢（Ｂ）では、
（ｉ）バックシート（３）を用意するステップと、
（ｉｉ）該バックシート（３）の外面（３ｂ）に１つ以上のファスナ部（１０）を配置して、該使用者端部（１２）を該バックシート（３）によって本質的に支持するとともに、該製造者端部（１１）を該バックシート（３）の一方の該側縁（３ｃ、３ｄ）に本質的に隣接させ、それにより該締結手段（１５）を該バックシート（３）の該外面（３ｂ）から離れる方向に向けるようにするステップと、
（ｉｉｉ）該製造者端部（１１）を、それが該使用者端部（１２）に本質的に対向するように折り曲げるステップと、
（ｉｖ）吸収性コア（４）およびトップシート（２）を該バックシート（３）に取付けるステップと、
を含み、かつステップ（ｉｉｉ）とステップ（ｉｖ）との順序を交替することができる、
方法。
【請求項２】
前記１つ以上のファスナ部（１０）が、トップシート（２）またはバックシート（３）の連続送りウェブに間欠的に取付けられて、別個の使い捨ておむつに切断することができる使い捨ておむつ（１）の連続送りウェブが提供される、請求項１に記載の方法。
【請求項３】
前記１つ以上のファスナ部が、第１製造者端部（１１ａ）と、第１使用者端部（１２ａ）と、解放可能結合部（１９）と、第２使用者端部（１２ｂ）と、第２製造者端部（１１ｂ）とを備えるツインファスナ部（１０ａ）であり、該製造者端部（１１ａ、１１ｂ）、該使用者端部（１２ａ、１２ｂ）および該解放可能結合部（１９）の横方向における寸法が、該製造者端部（１１ａ、１１ｂ）を該トップシート（２）または該バックシート（３）の互いに反対側の側縁（２ｃ、２ｄ）および／または（３ｃ、３ｄ）に隣接して位置付けることができるように選択されるとともに、該解放可能結合部（１９）を、２つの別々のファスナ部（１０）を提供するように解放することができるものである、請求項１又は２に記載の方法であって、前記第１選択肢（Ａ）の前記ステップ（ｉｉ）及び（ｉｉｉ）が、
（ｉｉ）該トップシート（２）の内面（２ａ）に１つ以上のツインファスナ部（１０ａ）を配置して、該使用者端部（１２ａ、１２ｂ）と該解放可能結合部（１９）とを該トップシート（２）によって本質的に支持するとともに、該製造者端部（１１ａ、１１ｂ）を該トップシート（２）の両側縁（２ｃ、２ｄ）に本質的に隣接させ、それにより該締結手段（１５ａ、１５ｂ）を該トップシート（２）の該内面（２ａ）に向けるようにするステップ、として及び、
（ｉｉｉ）該製造者端部（１１ａ、１１ｂ）を折り曲げるステップ、として実行され、
かつステップ（ｉｉ）とステップ（ｉｉｉ）またはステップ（ｉｉｉ）とステップ（ｉｖ）の順序を夫々交替することができ、あるいは前記第２選択肢（Ｂ）の前記ステップ（ｉｉ）及び（ｉｉｉ）が、
（ｉｉ）該バックシート（３）の外面（３ｂ）に１つ以上のツインファスナ部（１０ａ）を配置して、該使用者端部（１２ａ、１２ｂ）と該解放可能結合部（１９）とを該バックシート（３）によって本質的に支持するとともに、該製造者端部（１１ａ、１１ｂ）を該バックシート（３）の両側縁（３ｃ、３ｄ）に本質的に隣接させ、それにより該締結手段（１５）を外側に向けるようにするステップ、として及び、
（ｉｉｉ）該製造者端部（１１ａ、１１ｂ）を折り曲げるステップ、として実行され、ステップ（ｉｉ）とステップ（ｉｉｉ）またはステップ（ｉｉｉ）とステップ（ｉｖ）の順序を交替することができる、請求項１又は２に記載の方法。
【請求項４】
前記１つ以上のツインファスナ部（１０ａ）が、後部ウエストバンド部（７ａ）および／または正面ウエストバンド部（７ｂ）に取付けられる、請求項３に記載の方法。
【請求項５】
前記１つ以上のツインファスナ部（１０ａ）が、トップシート（２）またはバックシート（３）の連続送りウェブに間欠的に取付けられて、別個の使い捨ておむつ（１）に切断することができる使い捨ておむつ（１）の連続送りウェブが提供される、請求項３又は４に記載の方法。
【請求項６】
前記第１選択肢（Ａ）のステップ（ｉｉ）における前記トップシート（２）は折目（２ｅ）を有し、または前記第２選択肢（Ｂ）のステップ（ｉｉ）における前記バックシート（３）は折目を有し、少なくとも該トップシート（２）または該バックシート（３）に対し横方向の力を与えることにより、ツインファスナ部（１０ａ）の取付中または取付後の後続ステップで該折目がまっすぐにされ、それにより該ツインファスナ部（１０ａ）が２つの別々のファスナ部（１０）に分断される、請求項３〜５のいずれか一項に記載の方法。
【請求項７】
請求項３〜６のいずれか一項に記載の方法を実行するようにされたツインファスナ部（１０ａ）であって、該ツインファスナ部（１０ａ）が、横断面において所与の順序で、第１製造者端部（１１ａ）と、第１使用者端部（１２ａ）と、解放可能連結部１９と、第２使用者端部（１２ｂ）と、第２製造者端部（１１ｂ）とを備え、該ツインファスナ部（１０ａ）がＺ折り部を含まず、該使用者端部（１２ａ）および（１２ｂ）がいかなる別個の部品も無しに該解放可能結合部（１９）により互いに直接結合され、該解放可能結合部（１９）を解放して２つの別々のファスナ部（１０）を提供することができる、ツインファスナ部（１０ａ）。
【請求項８】
前記解放可能結合部（１９）が、穿孔である、請求項７に記載のツインファスナ部（１０ａ）。
【請求項９】
前記穿孔が、直線であるかまたは規則的なパターンを示す、請求項８に記載のツインファスナ部（１０ａ）。
【請求項１０】
トップシート（２）と、バックシート（３）と、請求項７〜９のいずれか一項に記載のツインファスナ部（１０ａ）とを具備する使い捨ておむつ（１）であって、製造者端部（１１ａ、１１ｂ）が、トップシート（２）とバックシート（３）との間に挟まれる、使い捨ておむつ（１）。